(57)【要約】【課題】低音の再生によってより高い臨場感が得られるウェアラブルスピーカシステムを提供する。【解決手段】ウェアラブルスピーカシステムは、第１端および第２端を有する変形可能な蛇腹筒１０１（首掛け部）と、第１端に接続される第１スピーカユニット１０２Ｌと、第２端に接続される第２スピーカユニット１０２Ｒと、を備える。【選択図】図１
2018148584.tif 000002
【特許請求の範囲】
【請求項１】
第１端および第２端を有する変形可能な首掛け部と、
前記第１端に接続される第１スピーカユニットと、
前記第２端に接続される第２スピーカユニットと、
を備える、ウェアラブルスピーカシステム。
【請求項２】
前記第１端側にて外部に開口し、前記第２スピーカユニットの内部の空洞と外部とを連通する第１開口部と、
前記第２端側にて外部に開口し、前記第１スピーカユニットの内部の空洞と外部とを連通する第２開口部と、
を備えることを特徴とする、請求項１に記載のウェアラブルスピーカシステム。
【請求項３】
一端が前記第１開口部に接続し、他端が前記第２スピーカユニットの前記空洞に連通する第１バスレフダクトと、
一端が前記第２開口部に接続し、他端が前記第１スピーカユニットの前記空洞に連通する第２バスレフダクトと、
を備えることを特徴とする、請求項２に記載のウェアラブルスピーカシステム。
【請求項４】
前記第１バスレフダクトおよび前記第２バスレフダクトは、前記首掛け部の内部で交差していることを特徴とする、請求項３に記載のウェアラブルスピーカシステム。
【請求項５】
外部に開口し、前記第１スピーカユニットの内部の空洞と外部とを連通する第１開口部と、
外部に開口し、前記第２スピーカユニットの内部の空洞と外部とを連通する第２開口部と、
を備えることを特徴とする、請求項１に記載のウェアラブルスピーカシステム。
【請求項６】
前記第１開口部は、前記第１端側にて開口し、
前記第２開口部は、前記第２端側にて開口する
ことを特徴とする、請求項５に記載のウェアラブルスピーカシステム
【請求項７】
前記第１開口部に接続する第１バスレフダクトと、
前記第２開口部に接続する第２バスレフダクトと、
を備えることを特徴とする、請求項５または請求項６に記載のウェアラブルスピーカシステム。
【請求項８】
前記第１バスレフダクトは、一端が前記第１開口部に接続し、他端が前記第１スピーカユニットの前記空洞側に開口し、
前記第２バスレフダクトは、一端が前記第２開口部に接続し、他端が前記第２スピーカユニットの前記空洞側に開口する
ことを特徴とする、請求項７に記載のウェアラブルスピーカシステム。
【請求項９】
前記第１スピーカユニットの前記空洞は、前記首掛け部の前記第１端側の内部空間と連通し、
前記第１バスレフダクトは、一端が前記第１開口部に接続し、他端が前記首掛け部の前記第１端側の内部空間に開口し、
前記第２スピーカユニットの前記空洞は、前記首掛け部の前記第２端側の内部空間と連通し、
前記第２バスレフダクトは、一端が前記第２開口部に接続し、他端が前記首掛け部の前記第２端側の内部空間に開口する
ことを特徴とする、請求項７又は請求項８に記載のウェアラブルスピーカシステム。
【請求項１０】
前記首掛け部を聴者の首に掛けた場合、前記第１開口部および前記第２開口部が前記聴者の耳の下方に位置することを特徴とする、請求項２から請求項９のいずれかに記載のウェアラブルスピーカシステム。
【請求項１１】
前記首掛け部を聴者の首に掛けた場合、前記第１スピーカユニットおよび前記第２スピーカユニットが前記聴者の上胸に位置することを特徴とする、請求項１から請求項１０のいずれかに記載のウェアラブルスピーカシステム。
【請求項１２】
前記首掛け部を聴者の首に掛けた場合、前記首掛け部と前記聴者の体との間に緩衝部材またはネックバンドを備えることを特徴とする、請求項１から請求項１１のいずれかに記載のウェアラブルスピーカシステム。
【請求項１３】
前記首掛け部の形状を固定する固定部材を備えることを特徴とする、請求項１から請求項１２のいずれかに記載のウェアラブルスピーカシステム。
【発明の詳細な説明】
【技術分野】
【０００１】
本発明は、ウェアラブルスピーカシステムに関し、詳しくは、聴者が耳以外の部分に装着して使用するウェアラブルスピーカシステムに関する。
【背景技術】
【０００２】
音声を出力するスピーカシステムとして、例えばテレビジョン受信機などに内蔵されているものがある。しかし、内蔵されているスピーカシステムのスピーカは、大きな口径を有さず大音量が得られず、また、低音の再生が十分に行えず臨場感が不足する場合がある。臨場感を得るためには、大口径スピーカを有するスピーカシステムやヘッドフォンが使用される場合が多い。
【０００３】
大口径スピーカを有するスピーカシステムを用いる場合には、ある程度の空間の広さが必要であり、このため、移動しながら音楽などを楽しむということには向いていない。ヘッドフォンを用いる場合には、移動しながら音楽などを楽しむことはできるが、ヘッドフォンを用いる聴者は、周りの音が聞こえなくなる問題がある。また、ヘッドフォンの場合は、音像が聴者の頭内に定位するために長時間の使用により疲労感を感じる問題もある。
【０００４】
以上の問題を解消するため、特許文献１〜４には、聴者の体に装着し、聴者の耳を塞がないウェアラブルスピーカシステムが開示されている。
【０００５】
特許文献１には、首掛け式のウェアラブルスピーカ装置が開示されており、スピーカが聴者の顎の下に位置するとともに耳の方向を向くようになっている。特許文献２および３には、首掛け部の両側にスピーカが設けられたウェアラブルスピーカ装置が開示されており、右肩には右耳用のスピーカが位置し、左肩には左耳用のスピーカが位置している。
【０００６】
特許文献４には、環状の首掛け式のウェアラブルスピーカ装置が開示されており、スピーカに加えてパッシブラジエータまたはバスレフポートを備え、特許文献１〜３と異なり、低音の再生が可能であり、聴者に臨場感を与えることができる。
【先行技術文献】
【特許文献】
【０００７】
【特許文献１】特開２００９−２０１０８８号公報
【特許文献２】特開２００８−２６３３７４号公報
【特許文献３】特表平８−５１１１５１号公報
【特許文献４】国際公開第２０１６／０３９２４５号
【発明の概要】
【発明が解決しようとする課題】
【０００８】
上述のように特許文献１−３に記載のウェアラブルスピーカシステムにおいては、低音の再生に関する機構が備えられていない。特許文献４に開示されているウェアラブルスピーカ装置では、スピーカとパッシブラジエータおよびバスレフポートとが離れており、低音の再生が十分に行なえないことがあり、臨場感が不足する場合がある。
【０００９】
本発明は、上述のような実情に鑑みてなされたものであり、低音の再生によってより高い臨場感が得られるウェアラブルスピーカシステムを提供することをその目的とする。
【課題を解決するための手段】
【００１０】
本発明に係るウェアラブルスピーカシステムは、第１端および第２端を有する変形可能な首掛け部と、前記第１端に接続される第１スピーカユニットと、前記第２端に接続される第２スピーカユニットと、を備えることを特徴とする。
【００１１】
本発明に係るウェアラブルスピーカシステムは、前記第１端側にて外部に開口し、前記第２スピーカユニットの内部の空洞と外部とを連通する第１開口部と、前記第２端側にて外部に開口し、前記第１スピーカユニットの内部の空洞と外部とを連通する第２開口部と、を備えることを特徴とする。
【００１２】
本発明に係るウェアラブルスピーカシステムは、一端が前記第１開口部に接続し、他端が前記第２スピーカユニットの前記空洞に連通する第１バスレフダクトと、一端が前記第２開口部に接続し、他端が前記第１スピーカユニットの前記空洞に連通する第２バスレフダクトと、を備えることを特徴とする。
【００１３】
本発明に係るウェアラブルスピーカシステムにおいて、前記第１バスレフダクトおよび前記第２バスレフダクトは、前記首掛け部の内部で交差していることを特徴とする。
【００１４】
本発明に係るウェアラブルスピーカシステムは、外部に開口し、前記第１スピーカユニットの内部の空洞と外部とを連通する第１開口部と、外部に開口し、前記第２スピーカユニットの内部の空洞と外部とを連通する第２開口部と、を備えることを特徴とする。
【００１５】
本発明に係るウェアラブルスピーカシステムにおいて、前記第１開口部は、前記第１端側にて開口し、前記第２開口部は、前記第２端側にて開口することを特徴とする。
【００１６】
本発明に係るウェアラブルスピーカシステムは、前記第１開口部に接続する第１バスレフダクトと、前記第２開口部に接続する第２バスレフダクトと、を備えることを特徴とする。
【００１７】
本発明に係るウェアラブルスピーカシステムにおいて、前記第１バスレフダクトは、一端が前記第１開口部に接続し、他端が前記第１スピーカユニットの前記空洞側に開口し、前記第２バスレフダクトは、一端が前記第２開口部に接続し、他端が前記第２スピーカユニットの前記空洞側に開口することを特徴とする。
【００１８】
本発明に係るウェアラブルスピーカシステムにおいて、前記第１スピーカユニットの前記空洞は、前記首掛け部の前記第１端側の内部空間と連通し、前記第１バスレフダクトは、一端が前記第１開口部に接続し、他端が前記首掛け部の前記第１端側の内部空間に開口し、前記第２スピーカユニットの前記空洞は、前記首掛け部の前記第２端側の内部空間と連通し、前記第２バスレフダクトは、一端が前記第２開口部に接続し、他端が前記首掛け部の前記第２端側の内部空間に開口することを特徴とする。
【００１９】
本発明に係るウェアラブルスピーカシステムは、前記首掛け部を聴者の首に掛けた場合、前記第１開口部および前記第２開口部が前記聴者の耳の下方に位置することを特徴とする。
【００２０】
本発明に係るウェアラブルスピーカシステムは、前記首掛け部を聴者の首に掛けた場合、前記第１スピーカユニットおよび前記第２スピーカユニットが前記聴者の上胸に位置することを特徴とする。
【００２１】
本発明に係るウェアラブルスピーカシステムは、前記首掛け部を聴者の首に掛けた場合、前記首掛け部と前記聴者の体との間に緩衝部材またはネックバンドを備えることを特徴とする。
【００２２】
本発明に係るウェアラブルスピーカシステムは、前記首掛け部の形状を固定する固定部材を備えることを特徴とする。
【発明の効果】
【００２３】
本発明によれば、低音の再生によってより高い臨場感を得ることができるウェアラブルスピーカシステムを提供することができる。
【図面の簡単な説明】
【００２４】
【図１】本発明の実施形態１に係るウェアラブルスピーカシステムの正面図である。
【図２】本発明の実施形態１に係るウェアラブルスピーカシステムの断面図である。
【図３】本発明の実施形態１に係るウェアラブルスピーカシステムを説明するための図である。
【図４】本発明の実施形態２に係るウェアラブルスピーカシステムの正面透視図である。
【図５】本発明の実施形態２に係るウェアラブルスピーカシステムの正面透視図である。
【図６】本発明の実施形態３に係るウェアラブルスピーカシステムの正面図である。
【図７】本発明の実施形態４に係るウェアラブルスピーカシステムの正面図である。
【発明を実施するための形態】
【００２５】
以下、図面を参照しながら、本発明のウェアラブルスピーカシステムの好適な実施形態について説明する。なお、以下の説明において、異なる図面においても同じ符号を付した構成は同様のものであるとして、その説明を省略する場合がある。また、複数の実施形態を説明するが、組み合わせが可能である限り、実施形態は任意に組み合わせて実施することができる。
【００２６】
（実施形態１）
図１は、実施形態１に係るウェアラブルスピーカシステム１００の正面図である。ウェアラブルスピーカシステム１００は、蛇腹筒１０１と、第１スピーカユニット１０２Ｌと、第２スピーカユニット１０２Ｒと、第１バスレフダクト１０６Ｌと、第２バスレフダクト１０６Ｒとを備える。また、ウェアラブルスピーカシステム１００は、緩衝部材１０５をさらに備えていてもよい。なお、第１バスレフダクト１０６Ｌは、図２、図４および図５に示されており、第２バスレフダクト１０６Ｒは、図４および図５に示されている。
【００２７】
蛇腹筒１０１は、蛇腹状の筒であり、側面に谷折りと山折りとの繰り返しが形成されている。側面に谷折りと山折りとの繰り返しが形成されているので、蛇腹筒１０１は伸縮可能である。また、蛇腹筒１０１は、図示しない開口を形成する第１端と第２端とを有し、第１端と第２端とが蛇腹筒１０１の内部で連通している。
【００２８】
第１スピーカユニット１０２Ｌは、内部に空洞を有する長尺形状を有する。長尺形状の端部には、長尺形状の延在する向きとは垂直方向に向いている第１スピーカ１０３Ｌが備えられている。また、長尺形状の別の端部は、図示しない開口を有し、開口は蛇腹筒１０１の第１端と接続されている。第１スピーカユニット１０２Ｌの上記開口が、蛇腹筒１０１の第１端と接続していることにより、蛇腹筒１０１の内部と、第１スピーカユニット１０２Ｌの内部とは、連通している。これにより、第１スピーカユニット１０２Ｌと蛇腹筒１０１との間で空気の移動が可能となっている。また、第１スピーカユニット１０２Ｌは、第１開口部１０４Ｌを有している。図１においては、第１スピーカ１０３Ｌと第１開口部１０４Ｌとは同一の方向を向いているが、異なっていてもよい。第１開口部１０４Ｌには、図２を参照して説明するように、第１バスレフダクト１０６Ｌの一端が接続している。
【００２９】
第２スピーカユニット１０２Ｒは、内部に空洞を有し、第１スピーカユニット１０２Ｌと同じ長さの長尺形状を有する。長尺形状の端部には、長尺形状の延在する向きとは垂直方向に向いている第２スピーカ１０３Ｒが備えられている。また、長尺形状の別の端部は、図示しない開口を有し、蛇腹筒１０１の第２端と接続されている。第２スピーカユニット１０２Ｒの上記開口が、蛇腹筒１０１の第２端と接続していることにより、蛇腹筒１０１の内部と、第２スピーカユニット１０２Ｒの内部とは、連通している。これにより、第２スピーカユニット１０２Ｒと蛇腹筒１０１との間で空気の移動が可能となっている。また、第２スピーカユニット１０２Ｒは、第２開口部１０４Ｒを有している。図１においては、第２スピーカ１０３Ｒと第２開口部１０４Ｒとは同一の方向を向いているが、異なっていてもよい。第２開口部１０４Ｒには、図２を参照して説明するのと同様に、第２バスレフダクト１０６Ｒの一端が接続している。
【００３０】
緩衝部材１０５は、蛇腹筒１０１の側面に設けられている。緩衝部材１０５は、蛇腹筒１０１の中央部、より厳密には、第１端と第２端それぞれからの蛇腹筒１０１の山折りと谷折りの数が同数となる位置、を含む領域に配置されている。緩衝部材１０５は、発泡ポリウレタンやゴムなどの容易に伸び縮みが可能な材料により形成されており、蛇腹筒１０１の振動を減衰して、蛇腹筒１０１が設けられているのとは緩衝部材１０５の反対側に振動を伝達することができる。緩衝部材１０５を形成する材料として、発泡ポリウレタンやゴムのような樹脂系の材料以外にも、機械的に伸縮自在なバネを用いたり、内部に空気を充填した気密袋などを用いたりすることができる。
【００３１】
図２は、図１におけるＩ−Ｉ断面図における第１スピーカユニット１０２Ｌの先端から蛇腹筒１０１の中央部に至る途中までの断面図である。図２には、第１開口部１０４Ｌを含む第１スピーカユニット１０２Ｌの断面および蛇腹筒１０１の一部の断面が示されている。なお、第２スピーカユニット１０２Ｒの先端から蛇腹筒１０１の中央部に至る途中までの断面図も、図２の左右を逆にして符号を適宜入れ替えることにより得ることが容易にできるので、図示は省略する。
【００３２】
第１スピーカユニット１０２Ｌは、図２に向かって上方に向けられている第１スピーカ１０３Ｌと、第１スピーカ１０３Ｌと同様に図２に向かって上方に向けられている第１開口部１０４Ｌとを有する。また、第１開口部１０４Ｌには、第１バスレフダクト１０６Ｌの一端が接続されており、第１バスレフダクト１０６Ｌの一端は、ウェアラブルスピーカシステム１００の外部に開口している。なお、第１開口部１０４Ｌと第１バスレフダクト１０６Ｌとの関係と同様に、第２開口部１０４Ｒの一端にも第２バスレフダクト１０６Ｒが接続されており、第２バスレフダクト１０６Ｒの一端は、ウェアラブルスピーカシステム１００の外部に開口している。
【００３３】
第１スピーカ１０３Ｌは、第１スピーカ１０３Ｌを構成するフレーム１０３ａと、フレーム１０３ａに支持される磁気回路１０３ｂと、磁気回路１０３ｂとフレーム１０３ａとに接続される振動板１０３ｃとを有する。磁気回路１０３ｂは、図示しない磁石とボイスコイルとを備え、ボイスコイルは図示しないケーブルに接続され、ケーブルに供給される信号に応じて、振動板１０３ｃを振動させ、音声を発生させる。
【００３４】
上述のように、蛇腹筒１０１の内部と、第１スピーカユニット１０２Ｌの内部とが連通しているので、第１スピーカ１０３Ｌの振動板１０３ｃが磁石とボイスコイルとの作用により振動し音声を発生すると、音声に応じて第１スピーカユニット１０２Ｌの内部の気圧変動が蛇腹筒１０１の内部に伝わることになる。このため、蛇腹筒１０１も音声に応じて振動することになる。通常は、振動板１０３ｃよりも蛇腹筒１０１のサイズが大きく、また、重量も大きいので、蛇腹筒１０１は、振動板１０３ｃにより発生する音声の主に低周波成分の大きさに応じて振動することになる。
【００３５】
また、第１開口部１０４Ｌには、第１バスレフダクト１０６Ｌの一端が接続されており、第１バスレフダクト１０６Ｌの他端は、蛇腹筒１０１の内部に開口している。このため、第１スピーカユニット１０２Ｌの内部の気圧変動が蛇腹筒１０１の内部に伝わると、第１バスレフダクト１０６Ｌの他端から内部に気圧変動が伝わり、第１開口部１０４Ｌの空気の出入りが生ずる。第１バスレフダクト１０６Ｌに伝わる気圧変動の特性は、第１バスレフダクト１０６Ｌの直径や長さにより変化するが、振動板１０３ｃにより発生する第１スピーカユニット１０２Ｌの内部の気圧変動のうち高周波成分は低周波成分よりも減衰しながら蛇腹筒１０１の内部に伝わるので、第１バスレフダクト１０６Ｌに伝わる気圧変動は、振動板１０３ｃが発生する音声の主に低周波成分の大きさに応じたものとなる。したがって、第１開口部１０４Ｌには、振動板１０３ｃにより発生する音声の主に低周波成分に応じた空気の出入りが発生し、空気の出入りにより、音声が発生する。
【００３６】
図３は、聴者の首の後ろからウェアラブルスピーカシステム１００を掛け、蛇腹筒１０１の中央部が首の後方に位置し蛇腹筒１０１が首を取り巻くようにし、第１スピーカユニット１０２Ｌおよび第２スピーカユニット１０２Ｒが首の前方に位置するようにした状態（首掛け状態）を示す図である。図３においては、蛇腹筒１０１と聴者の首の間には、緩衝部材１０５が配置されている。
【００３７】
首掛け状態において、第１スピーカ１０３Ｌおよび第２スピーカ１０３Ｒから音声を発生させると、上述のように、蛇腹筒１０１は、振動板１０３ｃが発生する音声の主に低周波成分の大きさに応じて振動する。首掛け状態においては、蛇腹筒１０１が首を取り巻くように配置されているので、蛇腹筒１０１により発生する主に低周波成分の振動や音声が聴者の周囲を取り巻いて蛇腹筒１０１から発せられ、聴者は高い臨場感を得ることができる。また、首掛け状態において、第１スピーカユニット１０２Ｌおよび第２スピーカユニット１０２Ｒが、聴者の上胸の部位、例えば鎖骨周辺や乳房の上部、に位置することにより、聴者は体の前方で第１スピーカユニット１０２Ｌおよび第２スピーカユニット１０２Ｒの振動も感じることができ、臨場感を得ることができる。
【００３８】
なお、蛇腹筒１０１は伸縮可能であるので、第１スピーカユニット１０２Ｌおよび第２スピーカユニット１０２Ｒを聴者の上胸の部位に位置させるためには、蛇腹筒１０１を経由する第１スピーカユニット１０２Ｌおよび第２スピーカユニット１０２Ｒの間の距離を設定する必要がある。そのためには、例えば、第１スピーカユニット１０２Ｌおよび第２スピーカユニット１０２Ｒを連結するケーブルを蛇腹筒１０１の内部に這わせ距離の上限を固定したり、Ｕ字形の支持部材により蛇腹筒１０１を支持し、蛇腹筒１０１の形状および長さを固定したりしてもよい。また、緩衝部材１０５が配置される場合には、緩衝部材１０５の剛性を高め、Ｕ字形状が維持できるようにし、蛇腹筒１０１の側面の図１に示すよりも長い部分に設け、蛇腹筒１０１の長さおよび形状の変動を小さくすることができる。
【００３９】
第１開口部１０４Ｌに、第１スピーカ１０３Ｌの振動板１０３ｃにより発生する音声の主に低周波成分に応じた空気の出入りが発生し、この空気の出入りにより低音が聴者に伝わることになる。また、同様に、第２開口部１０４Ｒからの空気の出入りにより低音が聴者に伝わることになる。したがって、第１開口部１０４Ｌおよび第２開口部１０４Ｒにより、聴者は高い臨場感を得ることができる。第１開口部１０４Ｌおよび第２開口部１０４Ｒにより、さらに高い臨場感を得るためには、第１開口部１０４Ｌおよび第２開口部１０４Ｒのそれぞれは、聴者の左右の耳ＹＬおよびＹＲの下に位置するようになっていることが好ましい。
【００４０】
蛇腹筒１０１の内部と、第１スピーカユニット１０２Ｌの内部とは、連通しているので、第１スピーカ１０３Ｌにより発生する音声に応じた気圧変動が蛇腹筒１０１を経由して第２スピーカユニット１０２Ｒ側へも伝わることになる。また、蛇腹筒１０１の内部と、第２スピーカユニット１０２Ｒの内部とも、連通しているので、第２スピーカ１０３Ｒにより発生する音声に応じた気圧変動が蛇腹筒１０１を経由して第１スピーカユニット１０２Ｌ側へも伝わり第１スピーカユニット１０２Ｌや第１スピーカ１０３Ｌの振動板１０３ｃが振動する。これにより、聴者の左耳ＹＬには、第１スピーカ１０３Ｌによる音声のみならず上記の気圧変動による第１スピーカユニット１０２Ｌの振動や第１スピーカ１０３Ｌの振動板１０３ｃの振動によってある程度の第２スピーカ１０３Ｒから発生している音声も混合して聞こえ、また、右耳ＹＲには、第２スピーカ１０３Ｒによる音声のみならずある程度の第１スピーカ１０３Ｌによる音声も混合して聞こえることになる。これにより、聴者は、音像の定位位置が頭内から前方に位置したように感じ、さらに高い臨場感を得ることができる。
【００４１】
以上のように、本実施形態によれば、第１スピーカユニット１０２Ｌおよび第２スピーカユニット１０２Ｒそれぞれの内部と連通した蛇腹筒１０１ならびに第１バスレフダクト１０６Ｌおよび第２バスレフダクト１０６Ｒにより、低音の再生が可能となり、聴者はより高い臨場感を得ることができる。
【００４２】
また、ヘッドフォンとは異なり、聴者の耳を塞がないので、音像が聴者の頭内に定位することがないので、聴者が疲労感を感じることが少なくなる。さらに、聴者は、周囲の音を聞くことができるので危険などを避けるために周囲に注意を払うことができる。また、ウェアラブルスピーカシステム１００を首掛け状態とすることにより、耳に近い位置に第１スピーカ１０３Ｌおよび第２スピーカ１０３Ｒなどが配置されるので、聴者が移動しても音場が変化することがなく、小さな音量でも十分な音圧を得ることができる。
【００４３】
以上のような本実施形態のウェアラブルスピーカシステム１００の使用場面としては、音楽再生装置、スマートフォンまたはタブレット型端末と組み合わせて音楽などを聞いたり、スマートフォンやタブレット端末の画面に表示される動画を音声付で視聴したりする場面が挙げられる。また、高齢者などにおいて、聴力の衰えにより聞きとりにくかったテレビの音声をウェアラブルスピーカシステム１００により耳元で再生することもできる。また、バーチャルリアリティーやオグメンティッドリアリティのシステムと組み合わせることにより、視覚および聴覚を通して高い臨場感を得ることもできる。
【００４４】
（実施形態２）
図４および図５は、本発明の実施形態２に係るウェアラブルスピーカシステム１００それぞれを正面から見た場合の正面透視図である。
【００４５】
図４は、第１開口部１０４Ｌおよび第２開口部１０４Ｒそれぞれに一端が接続されている第１バスレフダクト１０６Ｌおよび第２バスレフダクト１０６Ｒを点線により示している図である。第１バスレフダクト１０６Ｌおよび第２バスレフダクト１０６Ｒの長さは、第１スピーカ１０３Ｌおよび第２スピーカ１０３Ｒから発生する音声の周波数帯の低音部分のどの範囲を強調したいのかに応じて、任意に選択することができる。第１バスレフダクト１０６Ｌおよび第２バスレフダクト１０６Ｒの長さをより大きくすると、第１バスレフダクト１０６Ｌおよび第２バスレフダクト１０６Ｒの他端が第１スピーカ１０３Ｌおよび第２スピーカ１０３Ｒから離れることになり高音がより減衰して第１バスレフダクト１０６Ｌおよび第２バスレフダクト１０６Ｒそれぞれの他端に伝わるので、より低い周波数の範囲が強調されることになる。
【００４６】
また、第１バスレフダクト１０６Ｌおよび第２バスレフダクト１０６Ｒそれぞれは、上述のような音像の定位位置にも関係している。例えば、図５に示すように第１バスレフダクト１０６Ｌおよび第２バスレフダクト１０６Ｒそれぞれの長さを大きくし、他端１０７Ｌおよび１０７Ｒが、蛇腹筒１０１の中央部を超えて位置していてもよい。言い換えると、第１バスレフダクト１０６Ｌおよび第２バスレフダクト１０６Ｒが蛇腹筒１０１の内部で交差していてもよい。
【００４７】
このような第１バスレフダクト１０６Ｌおよび第２バスレフダクト１０６Ｒの構成によると、第１バスレフダクト１０６Ｌの他端１０７Ｌから、第２スピーカ１０３Ｒにより発生する音声に対応した気圧変動が第１開口部１０４Ｌへ導かれ、第２バスレフダクト１０６Ｒの他端１０７Ｒから、第１スピーカ１０３Ｌにより発生する音声に対応した気圧変動が第２開口部１０４Ｒに導かれる。このため、第１開口部１０４Ｌからは主に第２スピーカ１０３Ｒにより発生する音声に対応した空気の出入りが生じ、第２開口部１０４Ｒからは主に第１スピーカ１０３Ｌにより発生する音声に対応した空気の出入りが生じる。
【００４８】
したがって、聴者は、左耳ＹＬで聞く音に右側の音が混ざり、右耳ＹＲで聞く音に左側の音が混ざって聞くことになるので、音の定位位置が前に移動したように聞こえることになり、より高い臨場感を得ることができる。
【００４９】
（実施形態３）
図６は、本発明の実施形態３に係るウェアラブルスピーカシステム１００の正面図である。
【００５０】
図６においては、Ｕ字形のネックバンド１０８を用いて蛇腹筒１０１の形状および長さを固定する一例が示されている。ネックバンド１０８は、例えば金属製などの剛性を有する材料により形成され、Ｕ字形を維持する。また、ネックバンド１０８の中央部分には、蛇腹筒１０１の中央部とネックバンドの中央部分の相対的な位置関係を固定する中央接続具１０９Ｃが配置されている。中央接続具１０９Ｃは、例えば２つの環を接続した形状を有し、一方の環は蛇腹筒１０１の中央部を把持し、他方の環は、ネックバンド１０８の中央部分を把持するようになっており、蛇腹筒１０１の中央部とネックバンド１０８の中央部分とを固定する。
【００５１】
また、ネックバンド１０８の左端部は、第１接続部１０９Ｌを介して第１スピーカユニット１０２Ｌに接続され、ネックバンド１０８の右端部は、第２接続部１０９Ｒを介して第２スピーカユニット１０２Ｒに接続され、ネックバンド１０８と第１スピーカユニット１０２Ｌおよび第２スピーカユニット１０２Ｒとの相対的な位置関係が固定される。なお、第１接続部１０９Ｌおよび第２接続部１０９Ｒは、ネックバンド１０８の外形よりも若干大きな孔を備え、当該孔の内部とネックバンド１０８の外周とが摺動可能とすることにより、聴者の首の太さや体格などに合わせて蛇腹筒１０１の長さを可変にすることができる。
【００５２】
ネックバンド１０８は、図６においては、Ｕ字形の蛇腹筒１０１のＵ字形の内側に位置し、首掛け状態においては、聴者の体と蛇腹筒１０１との間に位置する。これにより、蛇腹筒１０１が直接聴者の体に触れ、聴者に不快感を与えることを防ぐことができる。特に、蛇腹筒１０１の振動に中高音周波数成分が含まれる場合には、蛇腹筒１０１が直接聴者の体に接触すると、聴者は不快な感じを抱くが、ネックバンド１０８により中高音の周波数を減衰させることにより、聴者に不快な感じを抱かせないようにすることができる。
【００５３】
なお、ネックバンド１０８の位置は、図６のように蛇腹筒１０１が形成するＵ字形の内側に限定されず、Ｕ字形の外側にあってもよいし、ウェアラブルスピーカシステム１００の上面側や下面側にあってもよい。また、ネックバンド１０８は一本ではなく、複数本あり、それぞれ、Ｕ字形の内側および外側ならびにウェアラブルスピーカシステム１００の上面側および下面側のいずれか一つ以上の位置にあってもよい。
【００５４】
（実施形態４）
図７は、本発明の実施形態４に係るウェアラブルスピーカシステム１００の正面図である。
【００５５】
蛇腹筒１０１の振動特性は、蛇腹筒１０１の長さ、径および材料の剛性に依存し、また、実施形態３のようにネックバンド１０８が用いられる場合には、ネックバンド１０８の振動特性にも依存する。さらに、蛇腹筒１０１の振動特性は、蛇腹筒１０１の質量および質量分布にも依存する。例えば、蛇腹筒１０１の質量が大きければ、慣性力が大きくなり、高い周波数の振動ほど抑制され、蛇腹筒１０１の振動の例えば共鳴周波数は低い周波数に変化する。
【００５６】
そこで、本実施形態においては、蛇腹筒１０１に錘体を備え、蛇腹筒１０１の質量分布を変更させ振動特性を変化させる。具体的には、図７に示すように、蛇腹筒１０１の第１スピーカユニット１０２Ｌ側に、錘体１１０Ｌを配置し、第２スピーカユニット１０２Ｒ側に、錘体１１０Ｒを配置する。また、蛇腹筒１０１の中央部にも錘体１１０Ｃを配置することもできる。
【００５７】
各錘体１１０Ｌ、ＲおよびＣは、金属などの密度の高い材料により作られ、蛇腹筒１０１に配置される。また、錘体１１０Ｃについては、第１スピーカ１０３Ｌおよび第２スピーカ１０３Ｒを駆動する駆動電源および駆動回路を配置することにより、質量を大きくすることもできる。
【００５８】
各錘体１１０Ｌ、ＲおよびＣと蛇腹筒１０１との接続の態様は様々あるが、例えば、蛇腹筒１０１の外周を覆うように各錘体１１０Ｌ、ＲおよびＣが蛇腹筒１０１に接続される。また、蛇腹筒１０１の外周形に、各錘体１１０Ｌ、ＲおよびＣの内側の形状を合わせる。例えば、各錘体１１０Ｌ、ＲおよびＣの内側を円環状の形状や、視力検査表に用いられるランドル環の形状とすることができる。
【００５９】
また、各錘体１１０Ｌ、ＲおよびＣは、蛇腹筒１０１に対し据え付けおよび取り外し自在になっていることが好ましい。例えば、各錘体１１０Ｌ、ＲおよびＣを弾力性の大きい材料によりランドル環形状に成形し、ランドル環の開いている端部間の距離を大きくして、蛇腹筒１０１に対して据え付けたり取り外したりすることができる。このように各錘体１１０Ｌ、ＲおよびＣを蛇腹筒１０１に対して据え付けおよび取り外し自在とすることにより、ウェアラブルスピーカシステム１００により再生される音声の特性やジャンルに合わせて、蛇腹筒１０１の振動特性を設定することができ、高い臨場感を提供することができる。
【００６０】
（付記事項）
本発明の参考技術としての第１の技術手段に係るウェアラブルスピーカシステムは、第１端および第２端を有する伸縮可能な蛇腹筒と、前記第１端に接続され前記蛇腹筒と内部同士が連通する第１スピーカユニットと、前記第２端に接続され前記蛇腹筒と内部同士が連通する第２スピーカユニットと、前記第１スピーカユニットにおいて一端が外部に開口し、他端が前記蛇腹筒の内部に開口する第１バスレフダクトと、前記第２スピーカユニットにおいて一端が外部に開口し、他端が前記蛇腹筒の内部に開口する第２バスレフダクトと、を備えることを特徴とする。
【００６１】
本発明の参考技術としての第２の技術手段に係るウェアラブルスピーカシステムは、第１の技術手段において、前記蛇腹筒は、取り外し可能な錘体を有することを特徴とする。
【００６２】
本発明の参考技術としての第３の技術手段に係るウェアラブルスピーカシステムは、第１または第２の技術手段において、前記第１バスレフダクトおよび前記第２バスレフダクトは、前記蛇腹筒の内部で交差していることを特徴とする。
【００６３】
本発明の参考技術としての第４の技術手段に係るウェアラブルスピーカシステムは、第１から第３のいずれかの技術手段において、前記蛇腹筒を聴者の首に掛けた場合、前記第１バスレフダクトおよび前記第２バスレフダクトそれぞれの一端が前記聴者の耳の下方に位置することを特徴とする。
【００６４】
本発明の参考技術としての第５の技術手段に係るウェアラブルスピーカシステムは、第１から第４のいずれかの技術手段において、前記蛇腹筒を聴者の首に掛けた場合、前記第１スピーカユニットおよび前記第２スピーカユニットが前記聴者の上胸に位置することを特徴とする。
【００６５】
本発明の参考技術としての第６の技術手段に係るウェアラブルスピーカシステムは、第４または第５の技術手段において、前記蛇腹筒と前記聴者の体との間に緩衝部材またはネックバンドを備えることを特徴とする。
【符号の説明】
【００６６】
１００…ウェアラブルスピーカシステム、１０１…蛇腹筒、１０２Ｌ…第１スピーカユニット、１０２Ｒ…第２スピーカユニット、１０３Ｌ…第１スピーカ、１０３Ｒ…第２スピーカ、１０４Ｌ…第１開口部、１０４Ｒ…第２開口部、１０５…緩衝部材、１０６Ｌ…第１バスレフダクト、１０６Ｒ…第２バスレフダクト、１０７Ｌ…第１バスレフダクト他端、１０７Ｒ…第２バスレフダクト他端、１０８…ネックバンド、１０９Ｌ…第１接続具、１０９Ｃ…中央接続具、１０９Ｒ…第２接続具、１１０Ｌ、１１０Ｃ、１１０Ｒ…錘体。
【図１】
2018148584.tif 000003
【図２】
2018148584.tif 000004
【図３】
2018148584.tif 000005
【図４】
2018148584.tif 000006
【図５】
2018148584.tif 000007
【図６】
2018148584.tif 000008
【図７】
2018148584.tif 000009